(57)【要約】【課題】携帯電話機などの携帯端末装置の電池容量を増やしてその使用可能時間を伸ばし、かつメモリ機能などの多機能を有するアダプタを提供する。【解決手段】携帯端末装置用アダプタは、その携帯端末装置の電池と同種の二次電池を備え、携帯端末装置に電力を直接供給する。携帯端末装置とアダプタはケーブルを介して、又は直接コネクタを介して接続することができる。またアダプタはさらにメモリ、メモリカード接続部、無線通信部等を備えることができる。【選択図】　　　図１
2004147216.tif 000002
【特許請求の範囲】
【請求項１】
携帯端末装置用アダプタであって、
該携帯端末装置に外部から接続しその駆動電力を直接供給することを特徴とする携帯端末装置用アダプタ。
【請求項２】
前記携帯端末装置の電池と同種の二次電池を備える請求項１記載の携帯端末装置用アダプタ。
【請求項３】
携帯端末装置とはコネクタを介して直接接続する請求項１記載の携帯端末装置用アダプタ。
【請求項４】
携帯端末装置とはコネクタ及びケーブルを介して接続する請求項１記載の携帯端末装置用アダプタ。
【請求項５】
記憶部を備える請求項１記載の携帯端末装置用アダプタ。
【請求項６】
メモリカード接続部を備える請求項１記載の携帯端末装置用アダプタ。
【請求項７】
表示手段を備える請求項１記載の携帯端末装置用アダプタ。
【請求項８】
キーボードを備える請求項１記載の携帯端末装置用アダプタ。
【請求項９】
無線通信部を備える請求項１記載の携帯端末装置用アダプタ。
【請求項１０】
外部充電器と接続するコネクタを備える請求項２記載の携帯端末装置用アダプタ。
【請求項１１】
携帯端末装置であって、外部から該装置へ駆動電力を供給するアダプタと接続するためのコネクタと内蔵電池収納用ホルダーとを備えることを特徴とする携帯端末装置。
【請求項１２】
前記コネクタと内蔵電池収納用ホルダーとを切り替えるスイッチを備える請求項１０記載の携帯端末装置。
【発明の詳細な説明】
【０００１】
【発明の属する技術分野】
本発明は、携帯電話機などの携帯端末装置のアダプタに関し、特に携帯端末装置の電源となる電池を備えるアダプタに関する。
【０００２】
【従来の技術】
今日、携帯電話機の高機能化が進んでいる。例えば電子メール、ネット検索、ゲームの機能や、携帯電話機で写真、動画を見ることができる機能等、通話以外の用途にも携帯電話機が利用されるようになり、携帯電話機の使用頻度が増加している。一方このような状況に伴い、携帯電話機に内蔵される電池の消費がより早く進み、内蔵電池の充電又は交換が必要となるまでの期間が短縮化するという問題が生じている。上記期間を大幅に伸ばすために電池容量を増やそうとした場合、内蔵電池の形状が大きくなり、また重量も増加するため、小型、軽量という携帯電話機の特徴を損なってしまう。
【０００３】
このため、市販の乾電池（一次電池）とレギュレータを備え、携帯電話機に外部から接続して、内蔵された二次電池を充電するアダプタが提案されている（例えば、特許文献１参照。）。
【０００４】
【特許文献１】
特開２００２−００９９０６号公報（第３−６頁、第１−３図）
【０００５】
【発明が解決しようとする課題】
しかし、上記特許文献１に開示されたアダプタは、携帯電話機に使用される二次電池に比べ重量のある一次電池を使用するため、充電に要する長時間これを携帯することはユーザの負担になる。また該アダプタを所定の位置に設置して充電を行うならば、従来の専用充電器に対してメリットがない。また、上記アダプタは、充電のみを行う単機能である。
【０００６】
本発明の目的は、上記課題を解決し、携帯電話機などの携帯端末装置の電池容量を増やしてその使用可能時間を伸ばし、かつ軽量化、多機能を可能とするアダプタを提供することにある。
【０００７】
【課題を解決するための手段】
本発明の携帯端末装置用アダプタは、携帯端末装置に外部から接続しその駆動電力を直接供給する。該アダプタは携帯端末装置の電池と同種の二次電池を備えることができる。該アダプタは、コネクタを介して直接接続し、またはコネクタとケーブルを介して携帯端末装置と接続することができる。該アダプタは、またメモリカード接続部、表示手段、キーボード、または無線通信部を備えることができる。さらに該アダプタは外部充電器と接続するコネクタを備えることができる。
【０００８】
また、上記アダプタに対応する携帯端末装置は、該アダプタと接続するためのコネクタと内蔵電池収納用ホルダーとを備えることができ、また該コネクタとホルダーとを切り替えるスイッチを備えることができる。
【０００９】
上記アダプタは、携帯端末装置の使用時間を延ばすことができ、かつその軽量、多機能化を実現させる。
【００１０】
【発明の実施の形態】
図１は、本発明の携帯端末装置用アダプタ３（以下アダプタ３と記す。）と携帯電話機１との接続例を示す。この例では、電源接続ケーブル２が上記アダプタ３と携帯電話機１とを接続している。電源接続ケーブル３の先端にはコネクタが配置されており、このコネクタが携帯電話機１のコネクタと接続される。電源接続ケーブル２は、アダプタ３をポケットやバッグ等に入れて携帯電話機を使用する状態を考慮して１ｍ程度の長さとすることができる。この例では、アダプタ３は、携帯電話機１を収納することができる収納部を備えている。
【００１１】
図２、図３は、上記アダプタ３が携帯電話機１を収容している例を示す。図２は、携帯電話機１がアダプタ３と電源接続ケーブル２によって接続された状態でアダプタ３に収容されている状態を示す。図３は、電源接続ケーブル２が用いられず、アダプタ２と携帯電話機１がそれぞれ有するコネクタを互いに直接接続している態様を示す。
【００１２】
図４は、アダプタ３と携帯電話機１のそれぞれの構成例を示すブロック図である。上記アダプタ３は、電池部４とコネクタ部５を備える。電池部４に配置される電池は、携帯電話機１に内蔵されている電池と同じものが望ましく、例えば定格３．７Ｖ、約６５０ｍＡｈのリチウムイオンバッテリである。コネクタ部５は上記電源接続ケーブル２のコネクタとも、また携帯電話機１のコネクタ５とも接続できる。
【００１３】
携帯電話機１は、２つのコネクタ５、６を備える。コネクタ５は上記アダプタ３と接続し、またコネクタ６は携帯電話機１に内蔵される二次電池を充電する充電器（図示せず）と接続するコネクタである。携帯電話機１の電池部４（電池収納部）には、上述のようなアダプタ３が有する電池と同じリチウムイオン二次電池が内蔵される。該電池はコネクタ６、充電回路８を介して外部から充電され得る。携帯電話機１のコネクタ部５と電池部４（電池収納部）との間には、図示するように切り替えスイッチ７を設けることができる。通常は、携帯電話機１の駆動電力は携帯端末装置用アダプタ３の電池から供給することが望ましい。スイッチ７もこれに応じてコネクタ５と接続するように設定される。
【００１４】
携帯電話機１は、これらの他に、制御部１１、該制御部１１と接続する送信部１０、受信部９、表示部１２、およびキイ部１３を備える。制御部１１は充電回路８とも接続しており、充電動作の監視や制御、また電池部４の電池残量をチェックすることができる。また図示していないが、携帯電話機１のコネクタ５と充電回路８または制御部１１とを接続することにより、制御部１１がアダプタ３の電池部４に収容された電池の残量をチェックすることが可能である。また上記スイッチ７は必ずしも必須ではなく、アダプタ３の電池と携帯電話機１に内蔵されている電池とを併せて携帯電話機用の電源とすることもできる。またコネクタ６を設けず、コネクタ５と充電回路８とを接続し、充電器用のコネクタとしても利用することができる。
【００１５】
アダプタ３のコネクタ５は外部の充電器と接続することができ、アダプタ３自身が備える二次電池の充電が可能である。アダプタは充電器と接続する専用のコネクタを備えることもできる。
【００１６】
図５は本発明のアダプタ３の他の例を示す。該アダプタ３は、電源接続ケーブル２を介して携帯電話機１と接続する構成は上述と同様であるが、内部に記憶部１４とメモリカード接続部１５とを備える。
【００１７】
図６は上記アダプタ３およびこれに対応する携帯電話機１の構成を示すブロック図である。アダプタ３内にはコネクタ部５と接続する記憶部１４と、該記憶部１４に接続するメモリカード接続部１５を備える。また対応する携帯電話機１はメールなどの情報を記憶する内部メモリ１６を備える。内部メモリ１６は制御部１１によって制御され、データをアダプタ３内の記憶部１４に送る。この場合、コネクタ５同士を接続する電源接続ケーブル２は携帯電話機の内部メモリ内容を転送できる構成のケーブルを使用する。携帯電話機１は、今後、文字情報だけでなく、画像情報、動画情報とやり取りするため、送受信するデータ量が飛躍的に増加し、またデータをダウンロードして使用する場合も増加すると予想される。従って携帯電話機内蔵のメモリはすぐに容量が不足し、データを削除しなければ新たな情報が書き込めない状況になる。この状況に鑑み、アダプタ内に記憶部１４を配置しデータを移行することにより大量のデータの保存が可能になる。またメモリカード接続部１５を用意する事によりパソコン等へのデータ移管も可能となる。
【００１８】
図７は、アダプタ３のさらに他の例を示す。ここではアダプタは無線通信部１７と制御部１８を備える。このアダプタ３は携帯電話機１から無線によってデータを受信することができる。
【００１９】
アダプタ３は各種機能を実行する際に使用するキーボードを備え、また各種機能の状況を表示するためなどの目的に使用する表示部を備えることができる。
【００２０】
【発明の効果】
本発明の携帯端末装置用アダプタは、携帯端末装置の使用可能時間を大幅に伸ばすことができ、その軽量化を可能とする。またメモリ機能などを備えることにより、携帯端末装置からのデータを保持、転送を可能とする。
【図面の簡単な説明】
【図１】本発明のアダプタと携帯電話機との接続例を示す図。
【図２】本発明のアダプタと携帯電話機との他の接続例を示す図。
【図３】本発明のアダプタと携帯電話機とのさらに他の接続例を示す図。
【図４】本発明のアダプタと携帯電話機の構成を示すブロック図。
【図５】本発明の他のアダプタの例を示す図。
【図６】図５のアダプタと対応する携帯電話機の構成を示すブロック図。
【図７】本発明のさらに他のアダプタの例を示す図。
【符号の説明】
１　　携帯電話機
２　　電源接続ケーブル
３　　アダプタ
４　　電池部
５、６　　コネクタ
７　　スイッチ
８　　充電回路
１４　　記憶部
１５　　メモリカード接続部
１６　　内部メモリ
１７　　無線通信部
１８　　制御部
【図１】
2004147216.tif 000003
【図２】
2004147216.tif 000004
【図３】
2004147216.tif 000005
【図４】
2004147216.tif 000006
【図５】
2004147216.tif 000007
【図６】
2004147216.tif 000008
【図７】
2004147216.tif 000009